(57)【要約】【課題】  スピーカー振動板の前面側に取り付けることで、近接する聴取位置において高い音声再生レベルを実現することができるスピーカー用ディフューザーを提供する。【解決手段】  スピーカー用ディフューザーは、反射壁面を有する複数のフィン部材と、複数のフィン部材が連結されてこれらをスピーカー振動板の前面側に配置する固定部材と、を備え、複数のフィン部材が、反射壁面の断面形状を規定する断面平面上において、楕円形の一部として形成された反射壁面の断面形状をそれぞれ有するとともに、それぞれの楕円形の一方の焦点Ｆ１を共通点Ｆ０に配置して、かつ、楕円形の他方の焦点Ｆ２をスピーカー振動板の断面形状を規定する線分Ｓ上のそれぞれ異なる点に配置するように、固定部材に固定される。【選択図】  図２
2008252405.tif 000002
【特許請求の範囲】
【請求項１】
反射壁面を有する複数のフィン部材と、該複数のフィン部材が連結されてこれらをスピーカー振動板の前面側に配置する固定部材と、を備え、
該複数のフィン部材が、該反射壁面の断面形状を規定する断面平面上において、楕円形の一部として形成された該反射壁面の断面形状をそれぞれ有するとともに、それぞれの該楕円形の一方の焦点Ｆ１を共通点Ｆ０に配置して、かつ、該楕円形の他方の焦点Ｆ２を該スピーカー振動板の断面形状を規定する線分Ｓ上のそれぞれ異なる点に配置するように、該固定部材に固定される、
スピーカー用ディフューザー。
【請求項２】
前記スピーカー振動板が平面振動板であって、その断面形状を規定する前記線分Ｓが直線である場合に、前記複数のフィン部材の前面端および後面端が、該線分Ｓに平行な直線によりそれぞれ規定される、
請求項１に記載のスピーカー用ディフューザー。
【請求項３】
前記フィン部材が、複数の前記反射壁面を有し、一のフィン部材の反射壁面の断面形状を規定する前記楕円形が、隣接する他の該フィン部材の前記反射壁面の断面形状をも規定する、
請求項１または２に記載のスピーカー用ディフューザー。
【請求項４】
前記フィン部材の前記スピーカー振動板側に吸音材が取り付けられている、
請求項１から３のいずれかに記載のスピーカー用ディフューザー。
【請求項５】
請求項１から４のいずれかに記載のスピーカー用ディフューザーと、前記スピーカー振動板を有するスピーカーと、該スピーカー用ディフューザーの前記固定部材ならびに該スピーカーを取り付けるキャビネット部と、を備えるスピーカーシステム。
【発明の詳細な説明】
【技術分野】
【０００１】
本発明は、スピーカー振動板の前面側に取り付けて、放射音波の指向性を制御するスピーカー用ディフューザーおよびこれを用いたスピーカーシステムに関し、特に、スピーカーシステムに近接する聴取位置において、高い音声再生レベルを実現しようとする狭指向性のスピーカー用ディフューザーに関する。
【背景技術】
【０００２】
従来、スピーカーが放射する再生音波の指向性を制御するために、ディフューザーをスピーカー振動板の前面側に取り付ける場合がある。スピーカーの指向特性を制御する手段には、指向性の制御の目的や、スピーカー種類への対応により、様々な種類や方式がある。なかでも、特定の聴取位置において高い音声再生レベルを実現しようとする狭指向性を図るものには、様々な方式が提案されている。
【０００３】
例えば、車載用スピーカーシステムにおいて、特定の方向に指向性を与えるために、スピーカーの前面側に取り付けるグリルの壁を、聴取者の方向に隣接する開口部の部分の肉厚が他の部分の肉厚よりも薄くなるように形成するものがある（特許文献１）。
【０００４】
また、狭指向性のスピーカー用の反射体として、パラボラ状の反射面もしくは回転楕円体の断面形状を有するものがある。例えば、枠体の開口部に短円筒状の反射板を同心円状として複数個設け、この反射板は短円筒状とした反射板の外周表面に吸音材を張り付け、外方の反射板は球面形状のように内方へ僅かに湾曲させた環状形状として内方の反射板よりも長くし、更に枠体の中央底部に発音体を設けてスピーカーとするものがある（特許文献２）。
【０００５】
【特許文献１】特開平７−２２５５８９号公報
【特許文献２】特開平８−１４０１７９号公報
【０００６】
しかしながら、特許文献２のような略パラボラ状の反射体を設ける場合には、スピーカーシステムとして大型のものになりやすいという欠点がある。また、特許文献１のようなスピーカーの前面側に取り付けるものであっても、スピーカーシステムに近接する聴取位置において、高い音声再生レベルを実現するには十分でない場合がある、という問題がある。
【発明の開示】
【発明が解決しようとする課題】
【０００７】
本発明は、上記の従来技術が有する問題を解決するためになされたものであり、その目的は、スピーカー用ディフューザーおよびこれを用いたスピーカーシステムであって、スピーカー振動板の前面側に取り付けることで、近接する聴取位置において高い音声再生レベルを実現することができるスピーカー用ディフューザーを提供することにある。
【課題を解決するための手段】
【０００８】
本発明のスピーカー用ディフューザーは、反射壁面を有する複数のフィン部材と、複数のフィン部材が連結されてこれらをスピーカー振動板の前面側に配置する固定部材と、を備え、複数のフィン部材が、反射壁面の断面形状を規定する断面平面上において、楕円形の一部として形成された反射壁面の断面形状をそれぞれ有するとともに、それぞれの楕円形の一方の焦点Ｆ１を共通点Ｆ０に配置して、かつ、楕円形の他方の焦点Ｆ２をスピーカー振動板の断面形状を規定する線分Ｓ上のそれぞれ異なる点に配置するように、固定部材に固定される。
【０００９】
好ましくは、本発明のスピーカー用ディフューザーは、スピーカー振動板が平面振動板であって、その断面形状を規定する線分Ｓが直線である場合に、複数のフィン部材の前面端および後面端が、線分Ｓに平行な直線によりそれぞれ規定される。
【００１０】
また、好ましくは、本発明のスピーカー用ディフューザーは、フィン部材が、複数の反射壁面を有し、一のフィン部材の反射壁面の断面形状を規定する楕円形が、隣接する他のフィン部材の反射壁面の断面形状をも規定する。
【００１１】
さらに、好ましくは、本発明のスピーカー用ディフューザーは、フィン部材のスピーカー振動板側に吸音材が取り付けられている。
【００１２】
また、好ましくは、本発明のスピーカーシステムは、上記のいずれかに記載のスピーカー用ディフューザーと、スピーカー振動板を有するスピーカーと、スピーカー用ディフューザーの固定部材ならびにスピーカーを取り付けるキャビネット部と、を備える。
【００１３】
以下、本発明の作用について説明する。
【００１４】
本発明のスピーカー用ディフューザーは、反射壁面を有する複数のフィン部材と、複数のフィン部材が連結されてこれらをスピーカー振動板の前面側に配置する固定部材と、を備える。また、本発明のスピーカーシステムは、このスピーカー用ディフューザーと、スピーカー振動板を有するスピーカーと、スピーカー用ディフューザーの固定部材ならびにスピーカーを取り付けるキャビネット部と、を備える。このように、本発明のスピーカー用ディフューザーは、スピーカーシステムを構成する場合に、近接する聴取位置において高い音声再生レベルを実現するように、スピーカー振動板の前面側に取り付ける形態のスピーカー用ディフューザーである。
【００１５】
本発明のスピーカー用ディフューザーでは、反射壁面を有する複数のフィン部材が、反射壁面の断面形状を規定する断面平面上において、楕円形の一部として形成された反射壁面の断面形状をそれぞれ有する。そして、複数のフィン部材は、それぞれの楕円形の一方の焦点Ｆ１を共通点Ｆ０に配置して、かつ、楕円形の他方の焦点Ｆ２をスピーカー振動板の断面形状を規定する線分Ｓ上のそれぞれ異なる点に配置するように、固定部材に固定される。楕円形の他方の焦点Ｆ２に位置するスピーカー振動板から放射された音波は、複数のフィン部材の反射壁面で反射されて、楕円形の一方の焦点Ｆ１、つまり、共通点Ｆ０に集束する。したがって、スピーカーシステムに近接する聴取位置Ｆ０において、高い音声再生レベルを実現することができる。
【００１６】
スピーカー振動板が平面振動板である場合には、本発明のスピーカー用ディフューザーは、その断面形状を規定する線分Ｓが直線になる。この場合に、複数のフィン部材の前面端および後面端は、直線である線分Ｓに平行な直線によりそれぞれ規定され、複数のフィン部材は、平面振動板に近接した比較的短い反射面を形成する。その結果、このスピーカー用ディフューザーを用いるスピーカーシステムは、比較的小型・薄型にすることができるので、聴取者に近接して取り付けやすくなる。
【００１７】
また、本発明のスピーカー用ディフューザーでは、フィン部材が、複数の反射壁面を備え、一のフィン部材の反射壁面の断面形状を規定する楕円形が、隣接する他のフィン部材の反射壁面の断面形状をも規定する。この場合には、例えば、断面形状を規定する楕円形の上側の一部を一のフィン部材の反射壁面として用い、この楕円形の下側の一部を、下側に隣接する他のフィン部材の反射壁面として用いる。したがって、フィン部材の設計を容易にすることができ、また、フィン部材の反射壁面の総面積が増加するので、より高い音声再生レベルを実現することができる。
【００１８】
さらに、スピーカー用ディフューザーには、フィン部材のスピーカー振動板側に吸音材が取り付けられていてもよい。フィン部材がスピーカー振動板に近接する場合には、反射によるピーク・ディップが再生周波数特性上に出現しやすくなるので、吸音材を、フィン部材のスピーカー振動板側に取り付けることで、ピーク・ディップを抑制することができる。
【００１９】
なお、本発明のスピーカー用ディフューザーを用いるスピーカーは、コーン型振動板であってもよい。反射壁面の断面形状を規定する断面平面上において、スピーカー振動板の断面形状を規定する線分Ｓ上に、楕円形の他方の焦点Ｆ２があればよい。したがって、本発明のスピーカー用ディフューザーは、複数の棒状のフィン部材を用いる場合に限らず、複数のフィン部材が円環状になっていて、反射壁面の断面形状を規定する断面平面上において、楕円形の一部として形成された反射壁面の断面形状を有しており、それぞれの楕円形の一方の焦点Ｆ１を共通点Ｆ０に配置していればよい。点Ｆ０を聴取位置とすれば、より高い音声再生レベルを実現することができる。
【発明の効果】
【００２０】
本発明のスピーカー用ディフューザーは、スピーカー振動板の前面側に取り付けることで、近接する聴取位置において高い音声再生レベルを実現するスピーカーシステムを提供することができる。
【発明を実施するための最良の形態】
【００２１】
本発明のスピーカー用ディフューザーは、スピーカー振動板の前面側に取り付けることで、近接する聴取位置において高い音声再生レベルを実現するという目的を、反射壁面を有する複数のフィン部材と、複数のフィン部材が連結されてこれらをスピーカー振動板の前面側に配置する固定部材と、を備え、複数のフィン部材が、反射壁面の断面形状を規定する断面平面上において、楕円形の一部として形成された反射壁面の断面形状をそれぞれ有するとともに、それぞれの楕円形の一方の焦点Ｆ１を共通点Ｆ０に配置して、かつ、楕円形の他方の焦点Ｆ２をスピーカー振動板の断面形状を規定する線分Ｓ上のそれぞれ異なる点に配置するように、固定部材に固定されるようにすることにより、実現した。
【００２２】
以下、本発明の好ましい実施形態によるスピーカー用ディフューザーおよびこれを用いたスピーカーシステムについて説明するが、本発明はこれらの実施形態には限定されない。
【実施例１】
【００２３】
図１は、本発明の好ましい実施形態によるスピーカー用ディフューザーを用いたスピーカーシステム１を説明する図である。図１（ａ）は、スピーカーシステム１を説明する正面斜視図であり、図１（ｂ）は、その内部構造を説明する側面断面図である。また、図２は、このスピーカーシステム１に用いられるスピーカー用ディフューザー４を説明する図である。図２（ａ）は、スピーカー用ディフューザー４における焦点Ｆ０、Ｆ１、Ｆ２等を説明する図であり、図２（ｂ）は、その部分拡大図である。なお、説明に不要な他の内部構造等は、省略している。
【００２４】
本実施例のスピーカーシステム１では、音声信号を音声に変換するスピーカー２がキャビネット３に取り付けられている。キャビネット３は、スピーカー２の振動板２ａの前後空間を離隔して音響的なキャビティを規定する略直方体形状のキャビネットであり、スピーカー２の振動板２ａの前後で逆相に放射される音波が干渉しないようにして、低音域の再生特性を確保する。具体的には、スピーカー２はキャビネット３の前面バフルに取り付けられ、さらに前面バフルには、スピーカー２の前面側に位置するように、スピーカー用ディフューザー４が取り付けられている。このスピーカー用ディフューザー４は、上下方向の指向性を狭指向性にして、スピーカー用ディフューザー４の正面近傍の聴取位置において、高い音声再生レベルを実現しようとするものである。
【００２５】
なお、スピーカー２は、トラック型の平面振動板を有する平面スピーカーであり、呼び口径５ｃｍ（６０×４０ｍｍ）のスピーカーである。また、キャビネット３は、通気性を有しない樹脂の成型品や、樹脂合板等を含む木材板、もしくは金属板、等から形成されていればよい。また、スピーカーシステム１の動作時にスピーカー２に入力される音声信号は、スピーカー２に接続する（図示しない）接続線およびターミナルを介して供給される。スピーカー２に音声信号が供給されると、スピーカー振動板２ａが振動して音波に変換され、音声が再生される。スピーカー振動板２ａが平面振動板であるので、後述するスピーカー用ディフューザー４の断面形状を規定する線分Ｓは、図２に示すような直線になる。
【００２６】
本実施例の場合のスピーカー用ディフューザー４は、反射壁面を有する６本のフィン部材５（上側から順番に５ａ〜５ｆ）と、これらのフィン部材５をスピーカー振動板２ａの前面側に配置する固定部材６（左側：６ａおよび右側：６ｂ）と、から構成される。フィン部材５は、例えば、樹脂で成形された反射壁面を有する棒状の部材であり、それらの両端を固定部材６ａおよび６ｂで支持固定されている。また、固定部材６ａおよび６ｂも、樹脂で成形された部材であればよく、フィン部材５が固定部材６と一体に成形されていてもよい。
【００２７】
例えば、図１（ａ）におけるＡ−Ａ’断面を、フィン部材５の反射壁面の断面形状を規定する断面平面とすると、フィン部材５（５ａ〜５ｆ）は、図示するような楕円形７（７ａ〜７ｆ）の一部として形成された反射壁面の断面形状をそれぞれ有する。フィン部材５ａおよび５ｆ、５ｂおよび５ｅ、５ｃおよび５ｄは、それらの断面形状ならびに配置位置が、中心軸を挟んで上下方向に軸対称の関係にある。したがって、図２（ａ）では、フィン部材５ｅに対応するべき楕円形７ｅと、フィン部材５ｆに対応するべき楕円形７ｆとは、それぞれ楕円形７ｂおよび楕円形７ａと軸対称の関係にあるので、図示を省略する。なお、フィン部材５ｃに対応する楕円形７ｃは中心軸が水平に設けられているので、フィン部材５ｄに対応するべき楕円形７ｄは楕円形７ｃと共通になる。そこで、楕円形７ｄについては、同様に図示を省略する。
【００２８】
これらのフィン部材５（５ａ〜５ｆ）は、それぞれの楕円形７（７ａ〜７ｆ）の一方の焦点Ｆ１（Ｆ１ａ〜Ｆ１ｆ）を共通点Ｆ０に配置して、かつ、楕円形７（７ａ〜７ｆ）の他方の焦点Ｆ２（Ｆ２ａ〜Ｆ２ｆ）をスピーカー振動板２ａの断面形状を規定する線分Ｓ上のそれぞれ異なる点に配置するように、固定部材６により固定される。共通点Ｆ０は、フィン部材５を上下対称にする中心軸上であって、フィン部材５から距離Ｌ０だけ離隔した点である。したがって、楕円形７（７ａ〜７ｆ）の他方の焦点Ｆ２（Ｆ２ａ〜Ｆ２ｆ）に位置するスピーカー振動板２ａから放射された音波は、フィン部材５（５ａ〜５ｆ）のそれぞれの反射壁面で反射されて、楕円形７の一方の焦点Ｆ１（Ｆ１ａ〜Ｆ１ｆ）に到達する。ここで、楕円形７の一方の焦点Ｆ１（Ｆ１ａ〜Ｆ１ｆ）は共通点Ｆ０であるので、反射壁面で反射した音波は、共通点Ｆ０に集束する。本実施例の場合には、距離Ｌ０は、約２０ｃｍである。楕円形７の焦点に集束する音波は、同位相になって強め合うので、その結果、スピーカーシステム１に近接する聴取位置Ｆ０において、高い音声再生レベルを実現することができる。
【００２９】
スピーカー用ディフューザー４の断面形状を規定する楕円形７の焦点が位置する線分Ｓは、スピーカー振動板２ａが平面振動板であるので、図２に示すような直線である。本実施例では、楕円形７（７ａ〜７ｆ）の他方の焦点Ｆ２（Ｆ２ａ〜Ｆ２ｆ）を、直線分Ｓ上に等間隔で配置している。例えば、図２（ｂ）の拡大図に示すように、焦点Ｆ２ａはスピーカー振動板２ａ上の一点であるものの、焦点Ｆ２ａの周囲を代表する点でもあると言えるので、フィン部材５ａの楕円形７ａの反射壁面は、スピーカー振動板２ａ上のＦ２ａ付近から放射された音波を点楕円形７ａの一方の焦点Ｆ１ａへ集束させることができる。
【００３０】
なお、フィン部材５ａの反射壁面の断面形状を規定する楕円形７ａの大きさは、様々な方法で決定できるが、好ましくは、隣接する他のフィン部材との間に形成される空間の様子を最も重視して決定すればよい。例えば、フィン部材５ａと、隣接する他のフィン部材５ｂとの間に形成される空間を二等分する補助線を設定し、この補助線を近似した近似直線を延長する場合に、この近似直線が共通点Ｆ０から離れすぎないようにする方が好ましい。また、フィン部材で不要な反射が生じないように、複数のフィン部材同士の間隔を狭くしすぎないようにし、あるいは、フィン部材の角度を立てすぎないようにするのが好ましい。
【００３１】
また、フィン部材５（５ａ〜５ｆ）のそれぞれの前面端および後面端は、直線であるスピーカー用ディフューザー４の断面形状を規定する線分Ｓに平行な直線５ｇおよび５ｈによりそれぞれ規定される。直線５ｇ−５ｈ間の距離を短くすることで、複数のフィン部材は、平面振動板に近接した比較的短い反射面を形成する。その結果、このスピーカー用ディフューザー４を用いるスピーカーシステム１は、比較的小型・薄型にすることができるので、共通点Ｆ０までの距離Ｌ０が上記のように比較的に短い場合であっても、聴取者に近接して取り付けやすくなる。なお、図１および図２に図示した場合の直線５ｇ−５ｈ間の距離は、約１０ｍｍである。
【００３２】
また、上記の通り、本発明のスピーカー用ディフューザー４では、フィン部材５ｃの反射壁面の断面形状を規定する楕円形７ｃは、フィン部材５ｄの反射壁面の断面形状を規定するべき（図示していない）楕円形７ｄと共通するので、隣接する他のフィン部材５ｄの反射壁面の断面形状をも規定している。つまり、楕円形７ｃの上側の一部をフィン部材５ｃの反射壁面として用い、楕円形７ｃの下側の一部を下側に隣接する他のフィン部材５ｄの反射壁面として用いている。したがって、スピーカー用ディフューザー４のフィン部材５の設計を容易にすることができる。また、フィン部材５の反射壁面の総面積が増加するので、より高い音声再生レベルを実現することができる。
【００３３】
図３は、上記の呼び口径５ｃｍのトラック型平面振動板２ａを有するスピーカー２をキャビネット３に取り付けた場合の音圧周波数特性をシミュレーションして、１０ｋＨｚにおける正面（０°方向）音圧レベルを基準にしたレベル差を表すポーラパターンを得たものである。図３（ａ）は、スピーカー用ディフューザー４を用いた場合の実施例であり、その反射壁面の寸法は、１０ｍｍ程度として高周波の指向性制御を狙っている。一方、図３（ｂ）は、スピーカー用ディフューザー４を備えない従来の比較例である。本発明のスピーカー用ディフューザー４を用いた場合には、正面（つまり、共通点Ｆ０の位置）に比較して、上側に相当する６０°〜９０°方向、あるいは、下側に相当する２７０°〜３００°方向、つまり、焦点Ｆ１から外れた位置でのレベルが低減している。なお、このスピーカー用ディフューザー４は、上下方向の指向性を制御しているが、９０°回転させて水平方向の指向性制御に用いてもよいことは言うまでもない。
【００３４】
本実施例では、スピーカー２が、トラック型の平面振動板２ａを有する平面スピーカーであるが、平面振動板は矩形でも丸形であってもよい。また、本発明のスピーカー用ディフューザーを用いるスピーカーは、コーン型振動板であってもよく、その場合には、スピーカー振動板の断面形状を規定する線分Ｓがコーン型振動板の表面形状に応じた凹凸を有するものであってもよい。複数のフィン部材が円環状になっていれば、反射壁面の断面形状を規定する断面平面上において、楕円形の一部として形成された反射壁面の断面形状を有しており、それぞれの楕円形の一方の焦点Ｆ１を共通点Ｆ０に配置していれば、聴取位置の点Ｆ０では、より高い音声再生レベルを実現することができる。
【実施例２】
【００３５】
図４は、本発明の好ましい他の実施形態によるスピーカー用ディフューザー８を説明する図である。スピーカー用ディフューザー８は、複数のフィン部材９を含み、図４は、図２（ａ）と同様に、これらのフィン部材９の断面形状を説明する図である。なお、説明に不要な他の内部構造等は省略しているほか、実施例１のスピーカーシステム１およびスピーカー用ディフューザー４に共通するところには共通の番号を付し、説明および図示を省略する。特に、楕円形７（７ａ〜７ｆ）については、楕円形の両端の焦点Ｆ１およびＦ２付近のみの形状を図示しており、中間部分は省略している。
【００３６】
本実施例のスピーカー用ディフューザー８では、フィン部材９のそれぞれに複数の反射壁面が形成されている。具体的には、フィン部材９ａ〜９ｆには上面側と下面側の両方に反射壁面が形成され、フィン部材９ａの上側には下面側のみに反射壁面が形成されたフィン部材９ｉが、そして、フィン部材９ｆの下側には上面側のみに反射壁面が形成されたフィン部材９ｊが、さらに配置されている。
【００３７】
例えば、断面形状を規定する楕円形７ｃは、実施例１と同様に、フィン部材９ｃの反射壁面の断面形状を規定し、隣接する他のフィン部材９ｄの反射壁面の断面形状をも規定している。つまり、楕円形７ｃの上側の一部をフィン部材９ｃの反射壁面として用い、楕円形７ｃの下側の一部を隣接する他のフィン部材９ｄの反射壁面として用いている。
【００３８】
これに加えて、本実施例のスピーカー用ディフューザー８では、例えば、楕円形７ａは、フィン部材９ａの下側の反射壁面の断面形状を規定し、かつ、隣接する他のフィン部材９ｂの上側の反射壁面の断面形状をも規定している。他のフィン部材９においても、同様に一つの楕円７が上下に隣り合うフィン部材９の反射壁面をそれぞれ規定する。したがって、フィン部材９の反射壁面の総面積が増加するので、聴取位置の点Ｆ０において、より高い音声再生レベルを実現することができる。
【００３９】
実施例２のスピーカー用ディフューザー８では、フィン部材９のスピーカー振動板２ａの側には、吸音材１０が取り付けられている。例えば、フィン部材９ｂは、その断面形状において、上側に楕円形７ａの一部により規定される反射壁面と、下側に楕円形７ｂの一部により規定される反射壁面と、を有しているので、フィン部材９ｂのスピーカー振動板２ａの側には、これらの反射壁面に囲まれる空間が形成される。この空間に入射した音波が、反射して周波数特性上に乱れを生じさないように、本実施例ではここに吸音材１０を設けている。したがって、聴取位置の点Ｆ０において、より高い音声再生レベルを実現しながらも、ピーク・ディップを抑制することができる。
【００４０】
吸音材１０は、上記に説明したように、上下の反射壁面に囲まれる空間に充填してもよく、また、スピーカー振動板２ａに最も近い面に貼り付けるようにしてもよい。吸音材１０は、スピーカー振動板２ａに近接配置されたフィン部材９ｂで反射が生じるような高い周波数を吸音するものであればよく、具体的には、発泡ウレタンや、グラスウール等の吸音性に優れる吸音材であればよい。
【００４１】
なお、実施例２のスピーカー用ディフューザー８では、実施例１の場合と同様に複数の棒状のフィン部材９を用いたが、このような場合に限られない。複数のフィン部材が円環状になっていてもよく、いずれかの反射壁面の断面形状を規定する断面平面上において、フィン部材のスピーカー振動板の側に、吸音材が取り付けられていればよい。
【産業上の利用可能性】
【００４２】
本発明のスピーカー用ディフューザーは、スピーカーシステムのみならず、耳介に被せて音声を再生するヘッドホンにも適用が可能である。
【図面の簡単な説明】
【００４３】
【図１】本発明の好ましい実施形態によるスピーカー用ディフューザーを用いたスピーカーシステム１を説明する図である。（実施例１）
【図２】スピーカーシステム１に用いられるスピーカー用ディフューザー４を説明する図である。（実施例１）
【図３】正面（０°方向）音圧レベルを基準にしたレベル差を表すポーラパターンである。（実施例１、比較例）
【図４】本発明の好ましい実施形態による他のスピーカー用ディフューザーを説明する図である。（実施例２）
【符号の説明】
【００４４】
１              スピーカーシステム
２              スピーカー
３              キャビネット
４、８          スピーカー用ディフューザー
５、９          フィン部材
６              固定部材
７              楕円形
１０            吸音材
【図１】
2008252405.tif 000003
【図２】
2008252405.tif 000004
【図３】
2008252405.tif 000005
【図４】
2008252405.tif 000006